(57)【特許請求の範囲】
【請求項１】
個々に独立した電源を有する複数の機器の電源をオン／オフ制御する電源制御装置であって、
使用者により電源オン操作がなされたときに、前記複数の機器のうちの特定の機器の電源がオフ状態であれば、その特定の機器の電源をオン状態にする一方、その特定の機器の電源がオン状態であれば、前記全ての複数の機器の電源をオン状態にする電源オン手段と、
使用者により前記電源オン操作の操作対象とは別の操作対象に対して電源オフ操作がなされたときに、前記全ての複数の機器の電源をオフ状態にする電源オフ手段とを備えたことを特徴とする、電源制御装置。
【請求項２】
使用者による前記電源オン操作の操作対象は、前記複数の機器を一括制御するためのリモートコントローラに設置された電源オンスイッチであり、
使用者による前記電源オフ操作の操作対象は、前記リモートコントローラに設置されたスタンバイスイッチである、請求項１に記載の電源制御装置。
【請求項３】
前記複数の機器は、ＡＶシステムを構成する各種機器であって、
前記電源オン手段および前記電源オフ手段は、スピーカを駆動するアンプが搭載された機器に設けられている、請求項１または２に記載の電源制御装置。
【請求項４】
前記アンプが搭載された機器は、ラジオ放送および／またはテレビジョン放送の音声を受信するチューナが搭載されたレシーバである、請求項３に記載の電源制御装置。
【請求項５】
前記複数の機器には、ＤＶＤプレーヤが含まれている、請求項３または４に記載の電源制御装置。
【発明の詳細な説明】
【０００１】
【発明の属する技術分野】
本発明は、たとえばシステムステレオのような複数の機器の電源を制御する電源制御装置に関する。
【０００２】
【従来の技術】
従来のシステムステレオにおいては、電源オフ時に、レシーバのパワースイッチを押圧操作すると、全ての機器の電源がオン状態になる構成であった。また、電源オフ時に、たとえばＤＶＤプレーヤのプレイ釦を押圧操作すると、ＤＶＤプレーヤおよびレシーバの電源がオン状態になるとともに、レシーバのセレクタがＤＶＤプレーヤに切り替わる構成であった。
【０００３】
【発明が解決しようとする課題】
しかし、上記従来のシステムステレオでは、電源オフ時に、レシーバのパワースイッチを押圧操作すると、全ての機器の電源がオン状態になるので、使用者が演奏を希望しない機器まで電源がオン状態になってしまい、省電力に反するという課題があった。特に、ＤＶＤプレーヤにディスクがセットされている場合、ＤＶＤプレーヤの電源がオン状態になると、ディスクが自動的に回転し、メニューが表示された状態になるので、ディスクの情報を読み取るレーザ装置の寿命を無駄に短縮してしまう。
【０００４】
そこで、電源オフ時に、レシーバのパワースイッチを押圧操作すると、レシーバの電源のみがオン状態になるように構成することも考えられるが、これではシステム動作で無くなってしまい、使用者は個々の機器本体あるいは個々の機器のリモートコントローラを操作して個々に電源をオンしなければならず、使い勝手が悪くなってしまう。
【０００５】
本発明は、このような事情のもとで考え出されたものであって、省電力と使い勝手の良さとを両立できる電源制御装置を提供することを、その課題としている。
【０００６】
【発明の開示】
上記の課題を解決するため、本発明では、次の技術的手段を講じている。
【０００７】
本発明の第１の側面によれば、個々に独立した電源を有する複数の機器の電源をオン／オフ制御する電源制御装置であって、使用者により電源オン操作がなされたときに、複数の機器のうちの特定の機器の電源がオフ状態であれば、その特定の機器の電源をオン状態にする一方、その特定の機器の電源がオン状態であれば、全ての複数の機器の電源をオン状態にする電源オン手段と、使用者により電源オン操作の操作対象とは別の操作対象に対して電源オフ操作がなされたときに、全ての複数の機器の電源をオフ状態にする電源オフ手段とを備えたことを特徴とする、電源制御装置が提供される。
【０００８】
好ましい実施の形態によれば、使用者による電源オン操作の操作対象は、複数の機器を一括制御するためのリモートコントローラに設置された電源オンスイッチであり、使用者による電源オフ操作の操作対象は、リモートコントローラに設置されたスタンバイスイッチである。
【０００９】
他の好ましい実施の形態によれば、複数の機器は、ＡＶシステムを構成する各種機器であって、電源オン手段および電源オフ手段は、スピーカを駆動するアンプが搭載された機器に設けられている。
【００１０】
他の好ましい実施の形態によれば、アンプが搭載された機器は、ラジオ放送および／またはテレビジョン放送の音声を受信するチューナが搭載されたレシーバである。
【００１１】
他の好ましい実施の形態によれば、複数の機器には、ＤＶＤプレーヤが含まれている。
【００１２】
本発明によれば、使用者により電源オン操作がなされたときに、複数の機器のうちの特定の機器の電源がオフ状態であれば、その特定の機器の電源をオン状態にする一方、その特定の機器の電源がオン状態であれば、全ての複数の機器の電源をオン状態にする電源オン手段を設けたので、使用者が一度電源オン操作を行なえば、特定の機器の電源のみが電源オン状態になり、使用者がさらに電源オン操作を行なえば、全ての機器の電源が電源オン状態になることから、省電力と使い勝手の良さとを両立できる。
【００１３】
すなわち、使用頻度の高い機器を特定の機器として選定しておくことにより、使用者は、１回の電源オン操作だけでその特定の機器の電源のみをオンさせて使用することができ、省電力化を図ることができる。また、特定の機器以外の機器を使用したいときは、使用者は、もう一度電源オン操作を行なうだけで、全ての機器の電源をオンさせることができ、使い勝手の良さを損なうことがない。
【００１４】
本発明のその他の特徴および利点は、添付図面を参照して以下に行う詳細な説明によって、より明らかとなろう。
【００１５】
【発明の実施の形態】
以下、本発明の好ましい実施の形態を、図面を参照して具体的に説明する。
【００１６】
図１は、本発明の一実施形態における電源制御装置を備えたシステムステレオの概略正面図である。このシステムステレオは、レシーバ１、ＤＶＤプレーヤ２、ＣＤプレーヤ３、およびＭＤプレーヤ４を備えている。これらレシーバ１、ＤＶＤプレーヤ２、ＣＤプレーヤ３、およびＭＤプレーヤ４は、システムコードにより相互に接続されている。レシーバ１は、電源オン釦５、およびスタンバイ釦６を備えている。ＤＶＤプレーヤ２は、プレイ釦７を備えている。ＣＤプレーヤ３は、プレイ釦８を備えている。ＭＤプレーヤ４は、プレイ釦９を備えている。もちろん、レシーバ１、ＤＶＤプレーヤ２、ＣＤプレーヤ３、およびＭＤプレーヤ４には、上記以外の種々の操作釦が設置されているが、それらについては図示説明を省略する。
【００１７】
レシーバ１は、ＦＭおよびＡＭのチューナやアンプを備えており、ラジオ放送を聴取するときは勿論のこと、他のＤＶＤプレーヤ２、ＣＤプレーヤ３、あるいはＭＤプレーヤ４を聴取するときにも使用する。
【００１８】
ＤＶＤプレーヤ２は、音楽用のＤＶＤを聴取するときに使用する。もちろん、モニタを設けて、映画用のＤＶＤを視聴できるようにしてもよい。
【００１９】
ＣＤプレーヤ３は、音楽用のＣＤを聴取するときに使用する。
【００２０】
ＭＤプレーヤ４は、音楽用のＭＤを聴取するときやダビングなどに使用する。
【００２１】
図２は、レシーバ１の概略回路ブロック図である。レシーバ１は、ＣＰＵ１１、ＲＯＭ１２、ＲＡＭ１３、ＥＥＰＲＯＭ１４、インターフェイス回路１５、電源制御部１６、通信部１７、セレクト部１８、チューナ部１９、およびアンプ部２０を備えている。ＣＰＵ１１、ＲＯＭ１２、ＲＡＭ１３、ＥＥＰＲＯＭ１４、およびインターフェイス回路１５は、相互にバス接続されている。インターフェイス回路１５には、電源制御部１６、通信部１７、およびセレクト部１８が接続されている。セレクト部１８には、チューナ部１９およびアンプ部２０が接続されている。通信部１７は、たとえば赤外線を利用してリモートコントローラ３１と通信を行なう。リモートコントローラ３１には、電源オンスイッチ３２やスタンバイスイッチ３３などの各種のスイッチが設置されている。アンプ部２０には、スピーカシステム３５が接続される。
【００２２】
ＣＰＵ（central processing unit ）１１は、レシーバ１の全体を制御する。
【００２３】
ＲＯＭ（read only memory）１２は、ＣＰＵ１１を動作させるためのプログラムやデータを記憶している。
【００２４】
ＲＡＭ１３は、ＣＰＵ１１にワーク領域を提供し、各種のデータを記憶する。
【００２５】
ＥＥＰＲＯＭ１４は、各種の設定データなどを記憶する。
【００２６】
インターフェイス回路１５は、インターフェイス回路１５に接続された各回路とＣＰＵ１１との間の通信を制御する。
【００２７】
電源制御部１６は、ＣＰＵ１１により制御されて、レシーバ１、ＤＶＤプレーヤ２、ＣＤプレーヤ３、およびＭＤプレーヤ４の電源をオン／オフ制御する。
【００２８】
通信部１７は、リモートコントローラ３１との間の通信を実行する。
【００２９】
セレクト部１８は、ＣＰＵ１１により制御されて、チューナ部１９、ＤＶＤプレーヤ２、ＣＤプレーヤ３、あるいはＭＤプレーヤ４からの信号を選択的にアンプ部２０に供給する。
【００３０】
チューナ部１９は、ＡＭやＦＭの放送電波を受信し、使用者により選択された局からの放送電波を選択的に復調する。
【００３１】
アンプ部２０は、セレクト部１８によって選択された信号を増幅してスピーカシステム３５を駆動する。
【００３２】
次に動作の要点を説明する。レシーバ１、ＤＶＤプレーヤ２、ＣＤプレーヤ３、およびＭＤプレーヤ４の電源がオフの状態で、使用者がリモートコントローラ３１の電源オンスイッチ３２を押圧操作すると、レシーバ１の電源がオン状態になる。これにより使用者は、ＦＭやＡＭのラジオ放送を聴取できる。
【００３３】
レシーバ１の電源がオンの状態で、さらに使用者がリモートコントローラ３１の電源オンスイッチ３２を押圧操作すると、レシーバ１、ＤＶＤプレーヤ２、ＣＤプレーヤ３、およびＭＤプレーヤ４の全ての電源がオン状態になる。これにより使用者は、ＤＶＤプレーヤ２、ＣＤプレーヤ３、あるいはＭＤプレーヤ４を任意に楽しむことができる。
【００３４】
一方、使用者がリモートコントローラ３１のスタンバイスイッチ３３を押圧操作すると、レシーバ１、ＤＶＤプレーヤ２、ＣＤプレーヤ３、およびＭＤプレーヤ４の全ての電源がオフ状態になる。この電源のオフ状態とは、いわゆるスタンバイ状態であって、電源制御部１６やリモートコントローラ３１などからの各種の指令信号を受け付けることができる状態である。
【００３５】
図３は、ＣＰＵ１１による電源制御処理の手順を説明するフローチャートである。このフローチャートを参照しながら、電源オン／オフ制御におけるＣＰＵ１１の具体的な動作を説明する。この電源制御処理は、ＣＰＵ１１による処理のメインルーチンに組み込まれており、一定以上の時間間隔をあけることなく、循環的に実行される。
【００３６】
先ず、ＣＰＵ１１が、電源オンスイッチ３２のオン操作が行なわれたか否かを判断する（Ｓ１）。具体的には、ＣＰＵ１１が、通信部１７およびインターフェイス回路１５を介して入力されるリモートコントローラ３１からの信号に基づいて、使用者によりリモートコントローラ３１の電源オンスイッチ３２が押圧されたかどうかを調べる。
【００３７】
電源オンスイッチ３２のオン操作が行なわれていれば（Ｓ１：ＹＥＳ）、ＣＰＵ１１が、レシーバ１の電源がオン状態であるか否かを判断する（Ｓ２）。この判断は、電源制御部１６からの信号に基づいて行なう。
【００３８】
レシーバ１の電源がオン状態であれば（Ｓ２：ＹＥＳ）、ＣＰＵ１１が、他の機器の電源がオン状態であるか否かを判断する（Ｓ３）。具体的には、ＣＰＵ１１が、ＤＶＤプレーヤ２、ＣＤプレーヤ３、あるいはＭＤプレーヤ４の電源がオン状態であるかどうかを調べる。この判断は、電源制御部１６からの信号に基づいて行なう。すなわち、レシーバ１の電源がオン状態であるということは、使用者が少なくとも１回はリモートコントローラ３１の電源オンスイッチ３２を押圧したということであり、レシーバ１、ＤＶＤプレーヤ２、ＣＤプレーヤ３、ＭＤプレーヤ４の電源がオン状態であるということは、使用者がリモートコントローラ３１の電源オンスイッチ３２に対して既に２回目の押圧操作を行なったということなので、ステップＳ１における電源オンスイッチ３２の押圧操作が真に２回目であるかを調べるのである。
【００３９】
他の機器の電源がオン状態でなければ（Ｓ３：ＮＯ）、ＣＰＵ１１が、電源制御部１６を制御して、他の機器の電源をオン状態にさせる（Ｓ４）。使用者による電源オンスイッチ３２の押圧操作が２回目であれば、この時点ではＤＶＤプレーヤ２、ＣＤプレーヤ３、およびＭＤプレーヤ４の電源はオフ状態であるので、これら全ての電源をオン状態にさせる。また、使用者による電源オンスイッチ３２の押圧操作が３回目以降であっても、ＤＶＤプレーヤ２、ＣＤプレーヤ３、あるいはＭＤプレーヤ４の電源が個別にオフされている可能性があるので、その場合には、オフされている機器の電源をオン状態にさせる。
【００４０】
次にＣＰＵ１１が、スタンバイスイッチ３３のオン操作が行なわれたか否かを判断する（Ｓ５）。具体的には、ＣＰＵ１１が、通信部１７およびインターフェイス回路１５を介して入力されるリモートコントローラ３１からの信号に基づいて、使用者によりリモートコントローラ３１のスタンバイスイッチ３３が押圧されたかどうかを調べる。
【００４１】
スタンバイスイッチ３３のオン操作が行なわれていれば（Ｓ５：ＹＥＳ）、ＣＰＵ１１が、レシーバ１、ＤＶＤプレーヤ２、ＣＤプレーヤ３、あるいはＭＤプレーヤ４の電源がオン状態であるか否かを判断する（Ｓ６）。
【００４２】
レシーバ１、ＤＶＤプレーヤ２、ＣＤプレーヤ３、あるいはＭＤプレーヤ４の電源がオン状態であれば（Ｓ６：ＹＥＳ）、ＣＰＵ１１が、電源がオン状態である機器の電源をオフ状態にして（Ｓ７）、電源制御処理を終了する。
【００４３】
ステップＳ６において、レシーバ１、ＤＶＤプレーヤ２、ＣＤプレーヤ３、およびＭＤプレーヤ４のいずれの電源もオン状態でなければ（Ｓ６：ＮＯ）、電源制御処理を終了する。すなわち、使用者がスタンバイスイッチ３３に対して無用な操作を行なったということなので、操作を無視する。
【００４４】
ステップＳ５において、スタンバイスイッチ３３のオン操作が行なわれていなければ（Ｓ５：ＮＯ）、電源制御処理を終了する。
【００４５】
ステップＳ３において、他の機器の電源がオン状態であれば（Ｓ３：ＹＥＳ）、すなわちレシーバ１、ＤＶＤプレーヤ２、ＣＤプレーヤ３、およびＭＤプレーヤ４の全ての電源がオン状態であれば、電源をオンさせる対象が存在しないので、ステップＳ５に進む。
【００４６】
ステップＳ２において、レシーバ１の電源がオン状態でなければ（Ｓ２：ＮＯ）、ＣＰＵ１１が、電源制御部１６を制御してレシーバ１の電源をオン状態にさせて（Ｓ８）、ステップＳ５に進む。すなわち、レシーバ１の電源がオフ状態であるということは、今回の電源オンスイッチ３２の押圧操作が１回目であるということなので、レシーバ１の電源のみをオン状態にする。
【００４７】
ステップＳ１において、電源オンスイッチ３２のオン操作が行なわれていなければ（Ｓ１：ＮＯ）、ステップＳ５に進む。
【００４８】
もちろん、リモートコントローラ３１の電源オンスイッチ３２およびスタンバイスイッチ３３の代わりに、使用者によりレシーバ１の電源オン釦５およびスタンバイ釦６が押圧操作された場合も、ＣＰＵ１１により上記と同様の電源制御処理が実行される。
【００４９】
このように、レシーバ１の電源がオフの状態で、使用者がリモートコントローラ３１の電源オンスイッチ３２あるいはレシーバ１の電源オン釦５を１回押圧操作すれば、レシーバ１の電源がオン状態になり、その状態で使用者が電源オンスイッチ３２あるいは電源オン釦５をさらに１回押圧操作すれば、レシーバ１、ＤＶＤプレーヤ２、ＣＤプレーヤ３、およびＭＤプレーヤ４の全ての電源がオン状態になるので、省電力と使い勝手の良さとを両立できる。
【００５０】
すなわち、レシーバ１を利用した聴取を楽しみたいときは、使用者が電源オンスイッチ３２あるいは電源オン釦５を１回押圧操作するだけで、レシーバ１の電源のみがオン状態になってレシーバ１を利用できるので、省電力化を図ることができる。しかも、ＤＶＤプレーヤ２、ＣＤプレーヤ３、あるいはＭＤプレーヤ４を利用した聴取を楽しみたいときは、使用者が電源オンスイッチ３２あるいは電源オン釦５を２回押圧操作するだけで、レシーバ１、ＤＶＤプレーヤ２、ＣＤプレーヤ３、およびＭＤプレーヤ４の全ての電源がオン状態になってＤＶＤプレーヤ２、ＣＤプレーヤ３、あるいはＭＤプレーヤ４を任意に利用できるので、使い勝手の良さを損なうことがない。
【００５１】
特に、レシーバ１を利用した聴取を楽しみたいときに、ＤＶＤプレーヤ２の電源が自動的にオン状態になってしまうことがないので、ＤＶＤプレーヤ２のヘッド部のレーザ装置の寿命を無駄に縮めてしまうことがない。
【００５２】
もちろん、リモートコントローラ３１のスタンバイスイッチ３３あるいはレシーバ１のスタンバイ釦６を１回押圧操作すれば、レシーバ１、ＤＶＤプレーヤ２、ＣＤプレーヤ３、およびＭＤプレーヤ４の全ての電源がオフ状態になるので、この点からも使い勝手の良さを損なうことがない。
【００５３】
なお、上記実施形態においては、レシーバ１、ＤＶＤプレーヤ２、ＣＤプレーヤ３、およびＭＤプレーヤ４を備えたシステムステレオについて説明したが、システムステレオの構成機器は任意であり、たとえばレシーバ１とＣＤプレーヤ３とが一体となった機器を含む構成であってもよい。
【００５４】
また、上記実施形態においては、レシーバ１が特定の機器である例について説明したが、特定の機器は１つに限らず、２以上であってもよい。たとえば、アンプとチューナとが互いに独立の機器である場合に、アンプとチューナとの双方を特定の機器として選定してもよい。また、特定の機器を使用者が選択してＥＥＰＲＯＭ１４などに登録できるように構成してもよい。
【００５５】
また、上記実施形態においては、本発明の電源制御装置をシステムステレオに採用した例について説明したが、本発明の電源制御装置は、たとえば各種の周辺機器が接続されたパーソナルコンピュータなど、他のシステムにももちろん採用可能である。
【図面の簡単な説明】
【図１】本発明の一実施形態における電源制御装置を備えたシステムステレオの概略正面図である。
【図２】レシーバの概略回路ブロック図である。
【図３】ＣＰＵによる電源制御処理の手順を説明するフローチャートである。
【符号の説明】
１  レシーバ
２  ＤＶＤプレーヤ
３  ＣＤプレーヤ
４  ＭＤプレーヤ
５  電源オン釦
６  スタンバイ釦
１１  ＣＰＵ
１２  ＲＯＭ
１３  ＲＡＭ
１４  ＥＥＰＲＯＭ
１５  インターフェイス回路
１６  電源制御部
１７  通信部
１８  セレクト部
１９  チューナ部
２０  アンプ部
３１  リモートコントローラ
３２  電源オンスイッチ
３３  スタンバイスイッチ
【図１】
0003826744.tif 000002
【図２】
0003826744.tif 000003
【図３】
0003826744.tif 000004